(57)【要約】【課題】  レジストマークの形成を簡略な構成で行うラインヘッドと、そのラインヘッドを用いた画像形成装置を提供すること。【解決手段】  ガラス基板６２に形成された画像形成用のドット光源６３を用いたラインヘッドにおいて、レジストマーク形成用の光源７３は画像形成用のドット光源６３とは異なるサイズで形成する。例えば、レジストマーク形成用の光源７３ａは、画像形成用のドット光源６３よりも副走査方向の幅を狭く形成する。または、レジストマーク形成用の光源７３ａは、画像形成用のドット光源６３よりも主走査方向の幅を広く形成する。【選択図】  図１
2006205362.tif 000002
【特許請求の範囲】
【請求項１】
基板に形成された画像形成用のドット光源を用いたラインヘッドにおいて、レジストマーク形成用の光源を前記画像形成用のドット光源とは異なるサイズもしくは形状で形成したことを特徴とする、ラインヘッド。
【請求項２】
前記レジストマーク形成用の光源は、前記画像形成用のドット光源よりも副走査方向の幅を狭く形成したことを特徴とする、請求項１に記載のラインヘッド。
【請求項３】
前記レジストマーク形成用の光源は、前記画像形成用のドット光源よりも主走査方向の幅を広く形成したことを特徴とする、請求項１に記載のラインヘッド。
【請求項４】
前記画像形成用のドット光源の中心線に、前記レジストマーク形成用の光源の中心を合わせて形成したことを特徴とする、請求項１ないし請求項３のいずれかに記載のラインヘッド。
【請求項５】
前記画像形成用のドット光源と、レジストマーク形成用の光源を共通の駆動回路で駆動することを特徴とする、請求項１ないし請求項４のいずれかに記載のラインヘッド。
【請求項６】
前記画像形成用のドット光源と、前記レジストマーク形成用の光源を副走査方向に異なるラインで形成したことを特徴とする、請求項１ないし請求項３のいずれかに記載のラインヘッド。
【請求項７】
前記レジストマーク形成用の光源を副走査方向に複数列形成したことを特徴とする、請求項６に記載のラインヘッド。
【請求項８】
前記レジストマーク形成用の光源は、段差を設けて斜めに複数列形成されたことを特徴とする、請求項７に記載のラインヘッド。
【請求項９】
前記画像形成用のドット光源と、前記レジストマーク形成用の光源は、異なる駆動回路で駆動することを特徴とする、請求項６ないし請求項８のいずれかに記載のラインヘッド。
【請求項１０】
前記ドット光源および前記レジストマーク形成用の光源は有機ＥＬ素子であることを特徴とする、請求項１ないし請求項９のいずれかに記載のラインヘッド。
【請求項１１】
像担持体の周囲に帯電手段と、請求項１ないし請求項１０のいずれかに記載のラインヘッドと、現像手段と、転写手段との各画像形成用ユニットを配した画像形成ステーションを少なくとも２つ以上設け、転写媒体が各ステーションを通過することにより、タンデム方式で画像形成を行うことを特徴とする画像形成装置。
【請求項１２】
中間転写部材を備えたことを特徴とする、請求項１１に記載の画像形成装置。
【発明の詳細な説明】
【技術分野】
【０００１】
本発明は、レジストマークの形成を簡略に行えるラインヘッド、およびそのラインヘッドを用いた画像形成装置に関するものである。
【背景技術】
【０００２】
タンデム方式の画像形成装置においては、露光装置として走査光学系を設ける方式と、発光素子アレイを用いる方式が知られている。例えば特許文献１には、ＬＥＤヘッドを用いたタンデム型画像形成装置で、色ずれマークを形成してレジスト制御を行う例が記載されている。また、特許文献２には、有機ＥＬ発光素子でラインヘッドを構成し、発光特性のバラツキを解消させている例が記載されている。また、このようなラインヘッドを用いたタンデム型画像形成装置が開示されている。さらに、
特許文献３には、タンデム型画像形成装置において、色ずれを補正するためのレジストセンサと濃度センサを共用する例が記載されている。
【０００３】
【特許文献１】特開平４−１０７５７９号公報
【特許文献２】特開平１１−１３８８９９
【特許文献３】特開平１−１６７７６９
【発明の開示】
【発明が解決しようとする課題】
【０００４】
このように、タンデム型の画像形成装置においてカラー画像を形成する際には、色ずれを防止するためにレジストマークを形成している。従来、レジストマークの形成は、画像の書込みを行う露光ヘッドを制御して行われていた。このため、レジストマークの形成のためにレジストマークの画像データを記憶する手段や、記憶した画像データに基づき、露光ヘッドを制御するための制御回路などが必要であり、構成が複雑になるという問題があった。
【０００５】
また、通常電子写真方式の画像形成装置では、画像処理を行う画像コントローラ部とメカ部分を制御するメカコントローラ部が設けられている。色ずれ量の測定は通常メカコントローラ部で行われ、レジストマークを形成するために、前記メカコントローラ部に画像処理や露光制御を行う回路が必要となるので、この点でも構成が複雑になるという問題があった。
【０００６】
本発明は従来技術のこのような問題点に鑑みてなされたものであり、その目的は、レジストマークの形成を簡略に行えるラインヘッド、およびそのラインヘッドを用いた画像形成装置を提供することにある。
【課題を解決するための手段】
【０００７】
上記目的を達成するために、本発明のラインヘッドは、基板に形成された画像形成用のドット光源を用いたラインヘッドにおいて、レジストマーク形成用の光源を前記画像形成用のドット光源とは異なるサイズもしくは形状で形成したことを特徴とする。このように、レジストマーク形成用の光源を画像形成用のドット光源とは別に設けているので、レジストマーク形成用の光源を動作させるだけで簡単にレジストマークを形成することができる。したがって、特別な制御回路を設けることなく構成を簡略化できる。また、レジストマーク形成用の光源を前記画像形成用のドット光源とは異なるサイズもしくは形状で形成しているので、両者の区分を明確にすることができる。
【０００８】
また、本発明のラインヘッドは、前記レジストマーク形成用の光源は、前記画像形成用のドット光源よりも副走査方向の幅を狭く形成したことを特徴とする。このように、レジストマーク形成用の各発光部の副走査方向における幅を、前記ドット光源よりも狭く形成しているので、レジストマーク形成の精度を向上させることができる。
【０００９】
また、本発明のラインヘッドは、前記レジストマーク形成用の光源は、前記画像形成用のドット光源よりも主走査方向の幅を広く形成したことを特徴とする。このように、レジストマーク形成用光源の主走査方向における幅をドット光源よりも主走査方向の幅を広く形成しているので、レジストマークのエッジをスムースに形成できる。したがって、レジストマーク検出の精度を向上させることができる。
【００１０】
また、本発明のラインヘッドは、前記画像形成用のドット光源の中心線に、前記レジストマーク形成用の光源の中心を合わせて形成したことを特徴とする。このような構成としているので、レジストマーク形成用各光源を形成する際の位置合わせ工程が簡略化され、精度良くレジストマーク形成用光源を設けることができる。
【００１１】
また、本発明のラインヘッドは、前記画像形成用のドット光源と、レジストマーク形成用の光源を共通の駆動回路で駆動することを特徴とする。このように、単一の駆動回路を用いているので、制御回路の構成を簡略にすることができる。
【００１２】
また、本発明のラインヘッドは、前記画像形成用のドット光源と、前記レジストマーク形成用の光源を副走査方向に異なるラインで形成したことを特徴とする。このため、基板の副走査方向のスペースを有効に利用することができる。
【００１３】
また、本発明のラインヘッドは、前記レジストマーク形成用の光源を副走査方向に複数列形成したことを特徴とする。このように、レジストマーク形成用の光源を副走査方向に複数列形成設けているので、副走査方向の色ずれ補正を精度良く行うことができる。
【００１４】
また、本発明のラインヘッドは、前記レジストマーク形成用の光源は、段差を設けて斜めに複数列形成されたことを特徴とする。このような構成としているので、副走査方向の色ずれ補正をさらに精度良く行うことができる。
【００１５】
また、本発明のラインヘッドは、前記画像形成用のドット光源と、前記レジストマーク形成用の光源は、異なる駆動回路で駆動することを特徴とする。このように、画像形成用の光源の制御と、レジストマーク形成用光源との制御専用に、異なる駆動回路を設けているので、画像形成用の光源の制御と、レジストマーク形成用光源の制御とをそれぞれ精度良く行うことができる。
【００１６】
また、本発明のラインヘッドは、前記ドット光源および前記レジストマーク形成用の光源は有機ＥＬ素子であることを特徴とする。このように、工程上直線性を良好に製造できる有機ＥＬ素子を光源としているので、位置精度が向上し高精度の色ずれ補正が可能となる。
【００１７】
本発明の画像形成装置は、像担持体の周囲に帯電手段と、前記のいずれかに記載のラインヘッドと、現像手段と、転写手段との各画像形成用ユニットを配した画像形成ステーションを少なくとも２つ以上設け、転写媒体が各ステーションを通過することにより、タンデム方式で画像形成を行うことを特徴とする。この構成により、タンデム型の画像形成装置に用いるラインヘッドにおいて、レジストマークの形成を簡略に行うことができる。
【００１８】
また、本発明の画像形成装置は、中間転写部材を備えたことを特徴とする。このため、中間転写部材を備えた画像形成装置に用いるラインヘッドにおいて、レジストマークの形成を簡略に行うことができる。
【発明の効果】
【００１９】
本発明のラインヘッド、およびラインヘッドを用いる画像形成装置によれば、レジストマーク形成用の光源を動作させるだけで簡単にレジストマークを形成することができる。したがって、特別な制御回路を設ける必要がなく構成を簡略化できる。
【発明を実施するための最良の形態】
【００２０】
以下、図を参照して本発明を説明する。図１は、本発明のラインヘッドに用いるガラス基板の例を示す平面図である。図１において、ガラス基板６２には、ドット光源として構成されている画像形成用の光源（発光部）６３が形成されている。発光部６３が主走査方向に複数配列されて、画像形成用の光源群７０が形成される。ガラス基板６２の長尺方向Ｘは主走査方向、短尺方向Ｙは副走査方向である。
【００２１】
ガラス基板６２の主走査方向両端には、画像形成用の光源群７０を挟んで、色ずれを検出するためのレジストマーク形成用光源（発光部）７３ａ、７４ａが設けられている。レジストマーク形成用光源７３ａ、７４ａもそれぞれ複数個配列されており、レジストマーク形成用光源群７３、７４を形成している。７２は、後述するようにＴＦＴなどを用いた駆動回路である。駆動回路７２は、画像形成用の光源群７０の各発光部６３と、レジストマーク形成用光源群の各発光部を制御する。
【００２２】
このように、画像形成用の光源群７０と、レジストマーク形成用光源群７３、７４は、同じ駆動回路７２で制御されるので、制御系の構成が簡単になる。また、画像形成用の光源群７０と、レジストマーク形成用光源群７３、７４は、ガラス基板６２上で主走査方向に中心線を合わせて１ラインで形成されている。
【００２３】
図１に示すように本発明の実施形態においては、レジストマーク形成用の光源７３ａ、７４ａを、画像形成用のドット光源６３とは別に設けているので、レジストマーク形成用の光源を動作させるだけで簡単にレジストマークを形成することができる。したがって、特別な制御回路を設ける必要がなく構成を簡略化できる。また、後述するように、レジストマーク形成用の光源７３ａ、７４ａを画像形成用のドット光源６３とは異なるサイズもしくは形状で形成しているので、両者の区分を明確にすることができる。
【００２４】
図２は、図１を部分的に拡大して示す平面図である。図において、画像形成用の光源群７０の各発光部６３と、レジストマーク形成用光源群７３の各発光部７３ａは、主走査方向に延在する同じ中心線ＣＬ上に形成される。図示を省略しているが、レジストマーク形成用光源群７４の各発光部７４ａも前記中心線ＣＬ上に形成されている。
【００２５】
この中心線ＣＬは、例えば前記各発光部６３をガラス基板６２に形成する際に用いられ、当該中心線ＣＬ上に前記レジストマーク形成用光源群７３の各発光部７３ａを形成する。このような構成としているので、レジストマーク形成用光源群７３の各発光部７３ａの位置合わせが精度良く行える。また、各発光部７３ａをガラス基板６２に形成する工程が簡略化される。
【００２６】
図３、図４は、本発明の実施形態を示す説明図である。図３（ａ）は、前記発光部６３の形状を示しており、ほぼ真円状に形成される。図３（ｂ）は、レジストマーク形成用光源群７３の各発光部７３ａの形状を示している。図３（ｂ）の例では、前記発光部７３ａは前記発光部６３よりも副走査方向の幅を狭く形成している。このように、レジストマーク形成用光源群７３の各発光部７３ａの副走査方向における幅を、前記発光部６３よりも狭く形成しているので、レジストマーク形成の精度を向上させることができる。
【００２７】
図４（ａ）は、前記発光部６３の形状を示しており、ほぼ真円状に形成される。図４（ｂ）は、レジストマーク形成用光源群７３の各発光部７５の形状を示している。図４（ｂ）の例では、前記発光部７５は前記発光部６３よりも主走査方向の幅（長さ）を広く形成している。このように、レジストマーク形成用光源群７３の各発光部７５の主走査方向における幅（長さ）を、前記発光部６３よりも広く形成しているので、レジストマークのエッジをスムースに形成できる。したがって、レジストマーク検出の精度を向上させることができる。
【００２８】
図５は、本発明の他の実施形態を示すガラス基板の平面図である。図１と同じところには同一の符号を付しており、詳細な説明は省略する。図５の例では、ガラス基板６２には、画像形成用の光源群７０と副走査方向で対向させて、複数個配列されたレジストマーク形成用光源７３ａ、７４ａからなるレジストマーク形成用光源群７３、７４を形成している。
【００２９】
また、画像形成用の光源群７０の各発光部６３を制御する駆動回路７２とは別個に、レジストマーク形成用光源群７３、７４の各発光部７３ａ、７４ａを制御する駆動回路７６を設けている。ガラス基板６２には、画像形成用の光源群７０と、レジストマーク形成用光源群７３、７４は、主走査方向に２ラインで形成されている。このため、ガラス基板６２の副走査方向のスペースを有効に利用することができる。
【００３０】
このように、図５の実施形態では画像形成用の光源群７０を制御する駆動回路７２と、レジストマーク形成用光源群７３、７４を制御する駆動回路７６が設けられている。すなわち、画像形成用の光源群７０の制御と、レジストマーク形成用光源群７３、７４との制御専用に駆動回路７２、７６を構成するので、画像形成用の光源群７０の制御と、レジストマーク形成用光源群７３、７４の制御とをそれぞれ精度良く行うことができる。
【００３１】
図６は、本発明の他の実施形態を示すガラス基板の平面図である。図５と同じところには同一の符号を付しており、詳細な説明は省略する。図６の例では、レジストマーク形成用光源群７９、８０の各発光部７９ａ、８０ａを、副走査方向に段差を設けて斜めに配列している。このため、レジストマークが多数形成されるので副走査方向の色ずれ補正をさらに精度良く行うことができる。また、レジストマーク形成用光源群７９、８０の配線処理が容易に行える。図６では、ガラス基板６２には、画像形成用の光源群７０と、レジストマーク形成用光源群７３、７４は、主走査方向に異なるラインで形成されている。
【００３２】
図７は、本発明の制御部の構成を示す回路図であり、図１の構成と対応している。図７において、９２は例えば本体側のコントローラに接続されて制御データの送受信が行われる周辺回路、９３は画像形成用の光源群７０の各発光部６３、およびレジストマーク形成用光源群７３の各発光部７３ａのカソード９７の接続を切り替える切り替え回路９３、９８は制御データを転送するシフトレジスタ、９４はスキャンライン、９５はデータライン、９６はサプライライン（アノード側電源線）、９７はカソード側電源線である。前記各発光部６３、各発光部７３ａは、個別に接続されたＴＦＴ回路７２で制御される。各発光部６３、各発光部７３ａは、例えば有機ＥＬ素子で形成する。
【００３３】
ラインヘッドの発光部に有機ＥＬ素子を用いた場合には、発光画素列は単一の基板上に半導体プロセスを用いて製造されるため、その直線性は、従来のＬＥＤに比べて極めて高精度に構成することが可能となる。したがって、位置精度が向上し高精度の色ずれ補正が可能となる。このため、高画質なラインヘッドを構成することができる。さらに、発光素子自身の光量ムラもレンズアレイの透過光量ムラに比べて小さく、レンズアレイの中心線と発光素子列を高精度に位置決めできれば、光量補正がなくとも光量を均一にすることができ、スポット径も均一となる。
【００３４】
図７の例では、本体側のコントローラで形成された制御データが周辺回路９２に入力され、周辺回路９２からシフトレジスタ９８に出力される。シフトレジスタ９８は、制御データに基づきスキャンライン９４を選択する。スキャンライン９４は、前記各ＴＦＴ回路７２に接続されており、シフトレジスタ９８で選択されたスキャンライン９４は、接続されている各ＴＦＴ回路７２に制御信号を印加する。
【００３５】
また、周辺回路９２はデータライン９５とサプライライン９６に接続されており、スキャンライン９４から制御信号を印加されたＴＦＴ回路７２が起動する。この際に、切り替え回路９３を動作させて画像形成用の光源群７０、またはレジストマーク形成用光源群７３のいずれかを選択する。切り替え回路９３で選択された側の光源群７０、または光源群７３のいずれかの発光部にカソード電源線９７が接続される。このようにして、画像形成用の光源群７０、またはレジストマーク形成用光源群７３のいずれかの発光部が点灯する。
【００３６】
図８は、本発明によって色ずれ補正するラインヘッドが用いられる画像形成装置の縦断側面図である。本実施例は、転写ベルトとして中間転写ベルトを用いる例である。図８において、本実施例の画像形成装置１は、ハウジング本体２と、ハウジング本体２の前面に開閉自在に装着された第１の開閉部材３と、ハウジング本体２の上面に開閉自在に装着された第２の開閉部材（排紙トレイを兼用している）４とを有している。さらに、第１の開閉部材３には、ハウジング本体２の前面に開閉自在に装着された開閉蓋３’を備えている。
【００３７】
ハウジング本体２内には、電源回路基板及び制御回路基板を内蔵する電装品ボックス５、画像形成ユニット６、送風ファン７、転写ベルトユニット９、給紙ユニット１０が配設される。また、第１の開閉部材３内には、二次転写ユニット１１、定着ユニット１２、記録媒体搬送手段１３が配設されている。
【００３８】
転写ベルトユニット９は、ハウジング本体２の下方に配設され図示しない駆動源により回転駆動される駆動ローラ１４と、駆動ローラ１４の斜め上方に配設される従動ローラ１５と、この２本のローラ１４、１５間に張架されて図示矢印方向へ循環駆動される中間転写ベルト１６と、中間転写ベルト１６の表面に離当接されるクリーニング手段１７とを備えている。
【００３９】
各画像形成ステーションＹ、Ｍ、Ｃ、Ｋの像担持体２０に対向して、板バネ電極からなる一次転写部材２１がその弾性力で当接され、一次転写部材２１には転写バイアスが印加されている。転写ベルトユニット９には、駆動ローラ１４に近接してテストパターンセンサ１８が設置されている。画像形成ユニット６は、複数（本実施例では４つ）の異なる色の画像を形成する画像形成ステーションＹ（イェロー用）、Ｍ（マゼンタ用）、Ｃ（シアン用）、Ｋ（ブラック用）を備え、各画像形成ステーションＹ、Ｍ、Ｃ、Ｋにはそれぞれ、感光ドラムからなる像担持体２０と、像担持体２０の周囲に配設された、帯電手段２２、像書込手段（ラインヘッド）２３及び現像手段２４を有している。
【００４０】
像担持体２０は、図示矢印に示すように、中間転写ベルト１６の搬送方向に回転駆動される。帯電手段２２は、高電圧発生源に接続された導電性ブラシローラで構成され、ブラシ外周が感光体である像担持体２０に対して逆方向で、かつ、２〜３倍の周速度で当接回転して像担持体２０の表面を一様に帯電させる。
【００４１】
像書込手段２３は、有機ＥＬ素子を像担持体２０の軸方向に列状に配列した有機ＥＬ素子アレイを用いている。有機ＥＬ素子アレイを用いたラインヘッドは、レーザー走査光学系よりも光路長が短くてコンパクトであり、像担持体２０に対して近接配置が可能であり、装置全体を小型化できるという利点を有する。本実施形態においては、各画像形成ステーションＹ、Ｍ、Ｃ、Ｋの像担持体２０、帯電手段２２及び像書込手段２３を１つの像担持体ユニット２５としてユニット化している。
【００４２】
次に、現像手段２４の詳細について、画像形成ステーションＫを代表して説明する。現像手段２４は、トナー（図のハッチング部）を貯留するトナー貯留容器２６と、このトナー貯留容器２６内に形成されたトナー貯留部２７と、トナー貯留部２７内に配設されたトナー撹拌部材２９と、トナー貯留部２７の上部に区画形成された仕切部材３０を有している。また、仕切部材３０の上方に配設されたトナー供給ローラ３１と、仕切部材３０に設けられトナー供給ローラ３１に当接されるブレード３２と、トナー供給ローラ３１及び像担持体２０に当接するように配設される現像ローラ３３と、現像ローラ３３に当接される規制ブレード３４とが設けられている。
【００４３】
給紙ユニット１０は、記録媒体Ｐが積層保持されている給紙カセット３５と、給紙カセット３５から記録媒体Ｐを一枚ずつ給送するピックアップローラ３６とからなる給紙部を備えている。第１の開閉部材３内には、二次転写部への記録媒体Ｐの給紙タイミングを規定するレジストローラ対３７と、駆動ローラ１４及び中間転写ベルト１６に圧接される二次転写手段としての二次転写ユニット１１と、定着ユニット１２と、記録媒体搬送手段１３と、排紙ローラ対３９と、両面プリント用搬送路４０を備えている。
【００４４】
定着ユニット１２は、ハロゲンヒータ等の発熱体を内蔵して回転自在な加熱ローラ４５と、この加熱ローラ４５を押圧付勢する加圧ローラ４６と、加圧ローラ４６に揺動可能に配設されたベルト張架部材４７と、加圧ローラ４５とベルト張架部材４７間に張架された耐熱ベルト４９を有している。記録媒体に二次転写されたカラー画像は、加熱ローラ４５と耐熱ベルト４９で形成するニップ部で所定の温度で記録媒体に定着される。
【００４５】
図９は、像書込手段２３を拡大して示す概略の斜視図である。図９においては、像書込手段２３の細部が示されている。像担持体ユニット２５に取り付けられた各像担持体（感光体ドラム）２０に対して、像書込手段２３を正確に位置決めするための機構が示されている。有機ＥＬ素子アレイ６１は、長尺のハウジング６０中に保持されている。長尺のハウジング６０の両端に設けた位置決めピン６９をケース５０の対向する位置決め穴に嵌入させると共に、長尺のハウジング６０の両端に設けたねじ挿入孔６８を通して固定ねじをケース５０のねじ穴にねじ込んで固定することにより、各像書込手段２３が所定位置に固定される。
【００４６】
像書込手段２３は、ガラス基板６２上に有機ＥＬ素子アレイ６１の発光部６３を載置し、同じガラス基板６２上に形成されたＴＦＴ７１により駆動される。屈折率分布型ロッドレンズアレイ６５は結像光学系を構成し、発光部６３の前面に配置される屈折率分布型ロッドレンズ７８を俵積みしている。６０はハウジング、６６はカバー、６７は固定板バネである。ハウジング６０は、ガラス基板６２の周囲を覆い、像担持体２０に面した側は開放する。このようにして、屈折率分布型ロッドレンズ７８から像担持体２０に光線を射出する。ハウジング６０のガラス基板６２の端面と対向する面には、光吸収性の部材（塗料）が設けられている。
【００４７】
図１０は、像書込手段２３の副走査方向の断面図である。像書込手段２３には、ハウジング６０中の屈折率分布型ロッドレンズアレイ６５の後面に面して取り付けられた有機ＥＬ素子アレイ６１と、ハウジング６０の背面からその中の有機ＥＬ発光素子アレイ６１を遮蔽する不透明なカバー６６とが設けられている。また、固定板バネ６７によりハウジング６０の背面に対してカバー６６を押圧して、ハウジング６０内を光密に密閉する。すなわち、ガラス基板６２は、固定板バネ６７によりハウジング６０で光学的に密閉されている。固定板バネ６７は、ハウジング６０の長手方向に複数個所設けられている。９１は像担持体に形成される像面である。
【００４８】
ケース５０の内面に紫外線を吸収する黒色の塗料を塗布しておくと、有機ＥＬ素子アレイ６１に対する紫外線遮蔽作用をより確実に行うことができ、有機ＥＬ発光素子の劣化を防止することができる。また、像書込手段２３のハウジング６０は不透明部材で形成され、その背面には不透明なカバー６６により覆われている。このため、有機ＥＬ素子アレイ６１の背面に入射する蛍光灯や太陽からの紫外線も、有機ＥＬ素子アレイ６１の発光部６３へ達することは防止される。８３はガラス基板６２をハウジング６０に固定する接着剤である。
【００４９】
本発明の実施形態によれば、タンデム型の画像形成装置に用いるラインヘッドにおいて、レジストパターンの形成を簡略に行うことができる。また、この画像形成装置は、中間転写部材を備えた構成とすることができる。
【００５０】
以上、本発明のラインヘッド、およびそのラインヘッドを用いた画像形成装置をいくつかの実施例に基づいて説明したが、本発明はこれら実施例に限定されず種々の変形が可能である。
【図面の簡単な説明】
【００５１】
【図１】ラインヘッドのガラス基板の平面図である。
【図２】ガラス基板を拡大して示す平面図である。
【図３】光源の形状の説明図である。
【図４】光源の他の形状を示す説明図である。
【図５】他のガラス基板を示す平面図である。
【図６】他のガラス基板を示す平面図である。
【図７】ラインヘッドの制御回路の例を示す説明図である。
【図８】本発明のラインヘッドが用いられる画像形成装置の縦断側面図である。
【図９】像書込手段を拡大して示す概略の斜視図である。
【図１０】ガラス基板を固定した例を示す断面図である。
【符号の説明】
【００５２】
１・・・画像形成装置、１６・・・中間転写ベルト、２０・・・像担持体、２３・・・像書込手段（ラインヘッド）、６１・・・有機ＥＬ素子アレイ、６２・・・ガラス基板、６３・・・ドット光源（発光部）、６４・・・カバーガラス、６５…屈折率分布型ロッドレンズアレイ（ＳＬＡ）、７２、７６・・・駆動回路、７３ａ、７４ａ・・・レジストマーク形成用光源、７８・・・屈折率分布型ロッドレンズ、９２・・・周辺回路、９３・・・切り替え回路、９８・・・シフトレジスタ
【図１】
2006205362.tif 000003
【図２】
2006205362.tif 000004
【図３】
2006205362.tif 000005
【図４】
2006205362.tif 000006
【図５】
2006205362.tif 000007
【図６】
2006205362.tif 000008
【図７】
2006205362.tif 000009
【図８】
2006205362.tif 000010
【図９】
2006205362.tif 000011
【図１０】
2006205362.tif 000012